(57)【要約】【課題】倍電圧発生回路のみで駆動に必要な電圧を発生させることができ、駆動回路を構成する素子数を削減したパネル駆動回路およびプラズマディスプレイ装置を提供する。【解決手段】プラズマディスプレイパネル駆動回路は、０または第１の電圧（Vs）を入力する第１の入力端と、第１の電圧（Vs）よりも小さい第２の電圧（Vs/2）を入力する第２の入力端とを有する倍電圧発生回路（５４）を備える。倍電圧発生回路（５４）は、第１の電圧（Vs）を整数倍した電圧に第２の電圧（Vs/2）を加えた電圧を発生させる。【選択図】図５
2007233380.tif 000002
【特許請求の範囲】
【請求項１】
複数の走査電極および維持電極を有し、容量性負荷として動作するプラズマディスプレイパネルを、初期化期間、書込み期間及び維持期間の各期間においてそれぞれ異なる波形を印加することで駆動する駆動回路であって、
０または第１の電圧を入力する第１の入力端と、前記第１の電圧よりも小さい第２の電圧を入力する第２の入力端とを有し、前記第１の電圧を整数倍した電圧に前記第２の電圧を加えた電圧を発生させる倍電圧発生回路
を備えたことを特徴とするプラズマディスプレイパネル駆動回路。
【請求項２】
直流電源を含み、前記直流電源の出力電圧に基づき維持期間に前記走査電極に印加する電圧波形を発生させる回路であって、前記容量性負荷に蓄積された電力をＬＣ共振によって回収コンデンサに回収し、その回収した電力を前記走査電極の駆動に再利用する電力回収部を含む維持パルス発生回路をさらに含み、
前記倍電圧発生回路の第２の入力端は前記回収コンデンサの一端に接続されたことを特徴とする請求項１記載のプラズマディスプレイパネルの駆動回路。
【請求項３】
前記初期化期間に前記走査電極に印加する初期化波形を発生する初期化波形発生回路を備え、前記倍電圧発生回路によって発生された電圧を前記初期化波形発生回路に印加する、ことを特徴とする請求項１記載のプラズマディスプレイパネル駆動回路。
【請求項４】
前記倍電圧発生回路は、
アノードが前記回収コンデンサに接続された第１のダイオードと、
前記第１のダイオードのカソードにアノードが接続された第２のダイオードと、
前記第１のダイオードのカソードに一端が接続され他端に所定の電圧と接地電位とを切替えて印加することができるように構成された第１のポンプアップ用コンデンサと、
前記第２のダイオードのカソードに一端が接続され他端が接地電位に接続されたチャージ用コンデンサと、
前記第２のダイオードのカソードにアノードが接続された第３のダイオードと、
前記第３のダイオードのカソードに一端が接続され他端に所定の電圧と接地電位とを切替えて印加することができるように構成された第２のポンプアップ用コンデンサと
を含む
ことを特徴とする請求項１記載のプラズマディスプレイパネル駆動回路。
【請求項５】
プラズマディスプレイパネルと、
前記プラズマディスプレイパネルを駆動する、請求項１ないし４のいずれかに記載のプラズマディスプレイパネル駆動回路と
を備えたプラズマディスプレイ装置。
【発明の詳細な説明】
【技術分野】
【０００１】
本発明は、壁掛けテレビや大型モニターに用いられるプラズマディスプレイパネル駆動回路およびプラズマディスプレイ装置に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間にはキセノンを含む放電ガスが封入されている。ここで表示電極対とデータ電極とが対向する部分に放電セルが形成される。
【０００３】
このような構成のパネルにおいては、各放電セル内でガス放電により紫外線を発生させ、その紫外線で赤色（Ｒ）、緑色（Ｇ）および青色（Ｂ）の各色の蛍光体を励起して発光させることによりカラー表示を行っている。また、パネルは、サブフィールド法、すなわち、１フィールド期間を複数のサブフィールドに分割し、発光させるサブフィールドの組み合わせによって階調表示を行う。各サブフィールドは初期化期間、書込み期間および維持期間を有し、初期化期間では初期化放電を発生し、続く書込み動作に必要な壁電荷を各電極上に形成する。書込み期間では、表示を行うべき放電セルで選択的に書込み放電を発生し壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。このように、画像データを表示するために、初期化期間、書込み期間および維持期間でそれぞれ異なる信号波形を各電極に印加している。
【０００４】
このようなパネルを備えたプラズマディスプレイ装置においては、サブフィールド内の各期間および各電極毎に異なる駆動電圧波形を発生させるために、出力電圧が異なる複数の定電圧電源や複数のスイッチング素子、複数のコンデンサ等の多数の部品から構成された駆動回路を備えている。そして、そのような駆動回路の構成の簡略化が望まれていた。
【０００５】
そこで、駆動回路の構成の簡略化を図るために、基準電圧の整数倍の電圧を取り出すことができる倍電圧回路を設け、さらにその倍電圧回路を構成するスイッチング素子を、電極への駆動パルス電圧の印加を制御するために設けられた他のスイッチング素子と兼用して駆動回路を構成する技術が提案されている（例えば、特許文献１参照）。
【０００６】
図８は、上述の従来技術に記載された駆動回路の回路図である。この駆動回路は、維持パルス発生回路、初期化波形発生回路および倍電圧回路を有する定電圧発生回路を備えている。そして、定電圧発生回路では、維持パルス発生回路が有する定電圧電源の電圧を整数倍した電圧を倍電圧回路において発生させ、その電圧をレギュレータ５５によって初期化波形発生回路に必要な電圧に変換して出力する。これにより初期化波形発生回路における定電圧電源を削減している。
【特許文献１】特開２００５−７０５９８号公報
【発明の開示】
【発明が解決しようとする課題】
【０００７】
プラズマディスプレイ装置において、ある駆動回路に用いられている定電圧電源に対し、その定電圧電源の整数倍の電圧の定電圧電源が他の駆動回路に用いられるということはまれである。例えば、初期化期間に初期化波形を発生する初期化波形発生回路において用いられる定電圧電源の電圧は、通常、維持期間に維持パルスを発生する維持パルス発生回路において用いられる定電圧電源の電圧（Ｖｓ）の約２．５倍である。例えば、図８の例では、倍電圧発生回路５６によりＶｓの電圧から２Ｖｓの電圧を発生し、レギュレータ５５により２Ｖｓの電圧から１．５Ｖｓの電圧を生成し、その後、ダイオードＤ５及びコンデンサＣ３によって２．５Ｖｓの電圧を生成している。
【０００８】
したがって、上述の従来技術においては、基準電圧の整数倍の電圧を取り出すことができる倍電圧回路だけでは、基準電圧の小数倍となる所望の電圧を取り出すことができず、一旦倍電圧回路により、基準電圧を整数倍した所望の電圧よりも高い電圧を発生させ、その後その電圧をレギュレータによって所望の電圧（小数倍の電圧）に変換しなければならなかった。そのため、定電圧電源を削減することはできても、倍電圧回路とともにレギュレータが必要となり、駆動回路を構成する素子数を十分に削減することができなかった。
【０００９】
本発明は、これらの課題に鑑みなされたものであり、倍電圧発生回路のみで、パネルの駆動に必要な電圧を発生させることができ、駆動回路を構成する素子数を削減したパネル駆動回路およびプラズマディスプレイ装置を提供することを目的とする。
【課題を解決するための手段】
【００１０】
本発明に係るプラズマディスプレイパネル駆動回路は、複数の走査電極および維持電極を有し、容量性負荷として動作するプラズマディスプレイパネルを、初期化期間、書込み期間及び維持期間の各期間においてそれぞれ異なる波形を印加することで駆動する駆動回路である。プラズマディスプレイパネル駆動回路は、０または第１の電圧（Vs）を入力する第１の入力端と、第１の電圧（Vs）よりも小さい第２の電圧（Vx）を入力する第２の入力端とを有する倍電圧発生回路を備える。倍電圧発生回路は、第１の電圧（Vs）を整数倍した電圧に、第２の電圧（Vx）を加えた電圧を発生させる。この構成により、倍電圧発生回路のみで第１の電圧を小数倍した電圧を発生させることができ、レギュレータを用いることなく駆動に必要な電圧を発生させることが可能となる。
【００１１】
また、プラズマディスプレイパネル駆動回路は、直流電源を含み、直流電源の出力電圧に基づき維持期間に走査電極に印加する電圧波形を発生させる維持パルス発生回路をさらに含んでもよい。維持パルス発生回路は、容量性負荷に蓄積された電力をＬＣ共振によって回収コンデンサに回収し、その回収した電力を走査電極の駆動に再利用する電力回収部を含む。この場合、倍電圧発生回路の第２の入力端は回収コンデンサの一端に接続される。この構成によれば、維持パルス発生回路の直流電源の電圧の２分の１の電圧に充電された回収コンデンサから、初期化波形発生回路に必要な電圧を、レギュレータを用いることなく生成することができる。
【００１２】
また、初期化期間に走査電極に印加する初期化波形を発生する初期化波形発生回路を備え、倍電圧発生回路によって発生された電圧を初期化波形発生回路に印加するように構成してもよい。この構成によれば、初期化波形発生回路における定電圧電源を削減することができる。
【００１３】
また、倍電圧発生回路は、アノードが回収コンデンサに接続された第１のダイオードと、第１のダイオードのカソードにアノードが接続された第２のダイオードと、第１のダイオードのカソードに一端が接続され他端に所定の電圧と接地電位とを切替えて印加することができるように構成された第１のポンプアップ用コンデンサと、第２のダイオードのカソードに一端が接続され他端が接地電位に接続されたチャージ用コンデンサと、第２のダイオードのカソードにアノードが接続された第３のダイオードＤ５と、第３のダイオードＤ５のカソードに一端が接続され他端に所定の電圧と接地電位とを切替えて印加することができるように構成された第２のポンプアップ用コンデンサとを有する構成としてもよい。この構成によれば、維持パルス発生回路に用いられている定電圧電源の２分の１の電圧に充電された回収コンデンサから、初期化波形発生回路に必要な電圧を、レギュレータを用いることなく得ることができる。
【００１４】
また、本発明のプラズマディスプレイ装置は、上述したパネル駆動回路を備えたことを特徴とする。これにより、プラズマディスプレイ装置を構成するパネル駆動回路の素子数を削減することができる。
【発明の効果】
【００１５】
本発明によれば、倍電圧発生回路によって、第１の電圧（Ｖs）を整数倍した電圧に、第１の電圧より小さい第２の電圧（Ｖx）を加えた電圧（Ｖx＋n×Ｖs）を生成することができる。よって、第１の電圧（Ｖs）を小数倍した電圧をレギュレータを用いず倍電圧発生回路のみで生成でき、レギュレータを用いることなく駆動に必要な電圧を発生させることができる。このように、レギュレータを設ける必要がなくなるので、駆動回路を構成する素子数を削減したパネル駆動回路およびプラズマディスプレイ装置を提供することが可能となる。
【発明を実施するための最良の形態】
【００１６】
以下、本発明の実施の形態におけるプラズマディスプレイ装置について、図面を用いて説明する。
【００１７】
１．プラズマディスプレイパネルの構造
図１は、本発明の実施の形態におけるプラズマディスプレイパネル１０の構造を示す斜視図である。第１の基板であるガラス製の前面板２１上には、ストライプ状の走査電極２２とストライプ状の維持電極２３とで対をなす表示電極が複数形成されている。そして走査電極２２と維持電極２３とを覆うように誘電体層２４が形成され、その誘電体層２４上に保護層２５が形成されている。
【００１８】
第２の基板である背面板３１上には、走査電極２２および維持電極２３と立体交差するように、誘電体層３３で覆われた複数のストライプ状のデータ電極３２が形成されている。誘電体層３３上にはデータ電極３２と平行に複数の隔壁３４が配置され、この隔壁３４間の誘電体層３３上および隔壁３４の側面に蛍光体層３５が設けられている。また、データ電極３２は隣り合う隔壁３４の間の位置に配置されている。
【００１９】
これら前面板２１と背面板３１とは、走査電極２２および維持電極２３とデータ電極３２とが直交するように、微小な放電空間を挟んで対向配置されるとともに、その外周部をガラスフリット等の封着材によって封着している。そして放電空間には、例えばネオン（Ｎｅ）とキセノン（Ｘｅ）の混合ガスが放電ガスとして封入されている。放電空間は、隔壁３４によって複数の区画に仕切られており、各区画には赤色（Ｒ）、緑色（Ｇ）および青色（Ｂ）の各色に発光する蛍光体層３５が順次配置されている。そして、走査電極２２および維持電極２３とデータ電極３２とが交差する部分に放電セルが形成され、各色に発光する蛍光体層３５が形成された隣接する３つの放電セルにより１つの画素が構成される。この画素を構成する放電セルが形成された領域が画像表示領域となり、画像表示領域の周囲は、ガラスフリットが形成された領域等のように画像表示が行われない非表示領域となる。
【００２０】
なお、パネルの構造は上述したものに限られるわけではなく、例えばストライプ状の隔壁を備えたものであってもよい。
【００２１】
図２は、本発明の実施の形態におけるパネル１０の電極配列を示した図である。図２に示すとおり、パネル１０には、行方向にｎ本の走査電極２２（図面中、走査電極２２１〜２２ｎ）およびｎ本の維持電極２３（図面中、維持電極２３１〜２３ｎ）が配列され、列方向にｍ本のデータ電極３２（図面中、データ電極３２１〜３２ｍ）が配列されている。そして、１対の走査電極２２および維持電極２３と１つのデータ電極３２とが交差した部分に放電セルが形成され、放電セルは放電空間内にｍ×ｎ個形成されている。 
【００２２】
このような構成のパネル１０において、各放電セル内でガス放電により紫外線を発生させ、この紫外線でＲ、Ｇ、Ｂ各色の蛍光体を励起発光させることによりカラー表示を行っている。また、パネル１０は、サブフィールド法、すなわち、１フィールド期間を複数のサブフィールドに分割し、発光させるサブフィールドの組み合わせによって階調表示を行う。各サブフィールドは初期化期間、書込み期間および維持期間を有し、初期化期間では初期化放電を発生し、続く書込み動作に必要な壁電荷を各電極上に形成する。書込み期間では、表示を行うべき放電セルで選択的に書込み放電を発生し壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。このように、画像データを表示するために、初期化期間、書込み期間および維持期間でそれぞれ異なる信号波形を各電極に印加している。
【００２３】
２．プラズマディスプレイパネルの駆動電圧波形
図３は、本発明の実施の形態におけるパネル１０の各電極に印加する各駆動電圧波形を示す図である。図３に示すように、本発明の実施の形態においては、１フィールドを複数のサブフィールドに分割し、それぞれのサブフィールドは初期化期間、書込み期間、維持期間を有している。また、それぞれのサブフィールドは発光期間の重みを変えるため維持期間における維持パルスの数を異ならせている以外はほぼ同様の動作を行い、各サブフィールドにおける動作原理もほぼ同様であるので、ここでは１つのサブフィールドについてのみ動作を説明する。
【００２４】
まず、初期化期間では、例えば、正のパルス電圧を全ての走査電極２２１〜２２ｎに印加し、走査電極２２１〜２２ｎおよび維持電極２３１〜２３ｎを覆う誘電体層２４上の保護層２５および蛍光体層３５上に必要な壁電荷を蓄積する。加えて、放電遅れを小さくして書込み放電を安定して発生させるためのプライミング（放電のための起爆剤＝励起粒子）を発生させるという働きを持つ。
【００２５】
具体的には、初期化期間前半部では、データ電極３２１〜３２ｍ、維持電極２３１〜２３ｎをそれぞれ０（Ｖ）に保持し、走査電極２２１〜２２ｎには、データ電極３２１〜３２ｍに対して放電開始電圧以下の電圧Ｖｉ１（Ｖ）から、放電開始電圧を超える電圧Ｖｉ２（Ｖ）に向かって緩やかに上昇する傾斜波形電圧を印加する。この傾斜波形電圧が上昇する間に、走査電極２２１〜２２ｎと維持電極２３１〜２３ｎ、データ電極３２１〜３２ｍとの間でそれぞれ１回目の微弱な初期化放電が起こる。そして、走査電極２２１〜２２ｎ上部に負の壁電圧が蓄積されるとともに、データ電極３２１〜３２ｍ上部および維持電極２３１〜２３ｎ上部には正の壁電圧が蓄積される。ここで、電極上部の壁電圧とは電極を覆う誘電体層上や蛍光体層上等に蓄積された壁電荷により生じる電圧を表す。
【００２６】
初期化期間後半部では、維持電極２３１〜２３ｎを正電圧Ｖｅ（Ｖ）に保ち、走査電極２２１〜２２ｎには、維持電極２３１〜２３ｎに対して放電開始電圧以下となる電圧Ｖｉ３（Ｖ）から電圧Ｖｉ４（Ｖ）に向かって緩やかに下降する傾斜波形電圧を印加する。この間に、走査電極２２１〜２２ｎと維持電極２３１〜２３ｎ、データ電極３２１〜３２ｍとの間でそれぞれ２回目の微弱な初期化放電が起こる。そして、走査電極２２１〜２２ｎ上部の負の壁電圧および維持電極２３１〜２３ｎ上部の正の壁電圧が弱められ、データ電極３２１〜３２ｍ上部の正の壁電圧は書込み動作に適した値に調整される。以上により初期化動作が終了する（以下、初期化期間に各電極に印加される駆動電圧波形を「初期化波形」と略記する）。
【００２７】
次に、書込み期間では、全ての走査電極２２１〜２２ｎに順次負の走査パルスを印加することによって走査を行う。そして、走査電極２２１〜２２ｎを走査している間に、表示データにもとづきデータ電極３２１〜３２ｍに正の書込みパルス電圧を印加する。こうして走査電極２２１〜２２ｎとデータ電極３２１〜３２ｍとの間に書込み放電が発生し、走査電極２２１〜２２ｎ上の保護層２５の表面に壁電荷が形成される。
【００２８】
具体的には、書込み期間では、走査電極２２１〜２２ｎを一旦電圧Ｖｃ（Ｖ）に保持する。次に、放電セルＣｐ，１〜Ｃｐ，ｍ（ｐは１〜ｎの整数）の書込み動作では、走査電極２２ｐに走査パルス電圧Ｖａ（Ｖ）を印加するとともに、データ電極３２１〜３２ｍのうちｐ行目に表示すべき映像信号に対応するデータ電極３２ｑ（３２ｑは３２１〜３２ｍのうち映像信号にもとづき選択されるデータ電極）に正の書込みパルス電圧Ｖｄ（Ｖ）を印加する。こうして、書込みパルス電圧が印加されたデータ電極３２ｑと走査パルス電圧が印加された走査電極２２ｐとの交差部に対応する放電セルＣｐ、ｑの電圧は、外部印加電圧（Ｖｄ−Ｖａ）（Ｖ）にデータ電極３２ｑ上の壁電圧および走査電極２２ｐ上の壁電圧の大きさが加算された電圧となって放電開始電圧を超える。そして、データ電極３２ｑと走査電極２２ｐとの間および維持電極２３ｐと走査電極２２ｐとの間に書込み放電が発生する。この書込み放電により放電セルＣｐ，ｑの走査電極２２ｐ上部に正電圧が蓄積され、維持電極２３ｐ上部に負電圧が蓄積される。このようにして、ｐ行目に表示すべき放電セルで書込み放電を起こして各電極上に壁電圧を蓄積する書込み動作が行われる。一方、正の書込みパルス電圧Ｖｄ（Ｖ）を印加しなかったデータ電極３２１〜３２ｍと走査電極２２ｐとの交差部の電圧は放電開始電圧を超えないので、書込み放電は発生しない。以下、同様の書込み動作をｎ行目の放電セルＣｎ，ｑに至るまで順次行い、書込み期間が終了する。
【００２９】
続く維持期間では、一定の期間、走査電極２２１〜２２ｎと維持電極２３１〜２３ｎとの間に放電を維持するのに充分な電圧を印加する。これにより、走査電極２２１〜２２ｎと維持電極２３１〜２３ｎとの間に放電プラズマが生成され、一定の期間、蛍光体層３５を励起発光させる。このとき、書込み期間において書込みパルス電圧が印加されなかった放電空間では、放電は発生せず蛍光体層３５の励起発光は起こらない。
【００３０】
具体的には、維持期間では、走査電極２２１〜２２ｎを０（Ｖ）に一旦戻した後、維持電極２３１〜２３ｎを０（Ｖ）に戻す。その後、走査電極２２１〜２２ｎに正の維持パルス電圧Ｖｓ（Ｖ）を印加する。このとき、書込み放電を起こした放電セルＣｐ，ｑにおける走査電極２２ｐ上部と維持電極２３ｐ上部との間の電圧は、正の維持パルス電圧Ｖｓ（Ｖ）に加えて、書込み期間において走査電極２２ｐ上部および維持電極２３ｐ上部に蓄積された壁電圧が加算されたものとなり放電開始電圧を超える。そして、走査電極２２ｐと維持電極２３ｐとの間に１回目の維持放電が発生する。維持放電を起こした放電セルＣｐ，ｑでは、維持放電発生時における走査電極２２ｐと維持電極２３ｐとの電位差を打ち消すように走査電極２２ｐ上部に負電圧が蓄積され、維持電極２３ｐ上部に正電圧が蓄積される。このときデータ電極３２ｑ上にも正の壁電圧が蓄積される。また、書込み期間において書込み放電が起きなかった放電セルでは維持放電は発生せず、初期化期間の終了時における壁電圧状態が保持される。こうして、１回目の維持放電が終了する。１回目の維持放電の後、走査電極２２１〜２２ｎを０（Ｖ）に戻し、維持電極２３１〜２３ｎに正の維持パルス電圧Ｖｓ（Ｖ）を印加する。このとき、１回目の維持放電を起こした放電セルＣｐ，ｑにおける走査電極２２ｐ上部と維持電極２３ｐ上部との間の電圧は、正の維持パルス電圧Ｖｓ（Ｖ）に加えて、１回目の維持放電において走査電極２２ｐ上部および維持電極２３ｐ上部に蓄積された壁電圧が加算されて放電開始電圧より大きくなり、２回目の維持放電が発生する。この２回目の維持放電により維持電極２３ｐ上に負電圧が蓄積され走査電極２２ｐ上に正電圧が蓄積される。以降同様に、走査電極２２１〜２２ｎと維持電極２３１〜２３ｎとに輝度重みに応じた数の維持パルスを交互に印加することにより、書込み期間において書込み放電を起こした放電セルＣｐ，ｑに対して維持パルスの回数だけ維持放電が継続して行われる。こうして維持期間における維持動作が終了する。
【００３１】
３．プラズマディスプレイ装置の構成
図４は、本発明の実施の形態におけるパネル１０を用いたプラズマディスプレイ装置１００の構成を示すブロック図である。図４に示すラズマディスプレイ装置１００は、パネル１０、画像信号処理回路３、データ電極駆動回路４、走査電極駆動回路５、維持電極駆動回路６、タイミング発生回路７および各回路ブロックに必要な電圧を供給する電源部（図示せず）を備えている。
【００３２】
画像信号処理回路３は、入力されたアナログの画像信号ｓｉｇをデジタルの画像信号に変換する。そして、デジタルの画像信号に対して、発光期間の重みの異なる複数のサブフィールドの組み合わせによってパネル１０に発光表示するため、１フィールドの映像信号から各サブフィールド毎の発光・非発光の制御を行うサブフィールドデータに変換する。そして、サブフィールドデータからデータ電極駆動回路用制御信号、走査電極駆動回路用制御信号および維持電極駆動回路用制御信号を生成し、データ電極駆動回路４、走査電極駆動回路５、維持電極駆動回路６へそれぞれ出力する。
【００３３】
タイミング発生回路７は水平同期信号Ｈおよび垂直同期信号Ｖをもとにして各電極駆動回路の駆動電圧波形を制御する各種のタイミング信号を発生し、各回路ブロックへ供給する。
【００３４】
パネル１０は、上述したとおり、行方向にｎ行の走査電極２２１〜２２ｎ（図１の走査電極２２）とｎ行の維持電極２３１〜２３ｎ（図１の維持電極２３）とが交互に配列され、列方向にｍ列のデータ電極３２１〜３２ｍ（図１のデータ電極３２）が配列されている。そして、１対の走査電極２２ｉ、維持電極２３ｉ（ｉ＝１〜ｎ）と１つのデータ電極３２ｊ（ｊ＝１〜ｍ）とを含む放電セルＣｉ，ｊが放電空間内に（ｍ×ｎ）個形成され、赤色、緑色および青色の各色に発光する３つの放電セルにより１つの画素が構成される。
【００３５】
そして、データ電極駆動回路４は、サブフィールド毎の画像データを各データ電極３２に対応する信号に変換し各データ電極３２ｊを独立して駆動する。
【００３６】
また、走査電極駆動回路５は、維持期間に走査電極２２１〜２２ｎに印加する維持パルスを発生するための維持パルス発生回路５１を内部に備え、各走査電極２２１〜２２ｎをそれぞれ独立して駆動することができる。そして、走査電極駆動回路用制御信号にもとづいて各走査電極２２１〜２２ｎを独立して駆動する。
【００３７】
また、維持電極駆動回路６は、初期化期間および書込み期間において維持電極２３１〜２３ｎに定電圧Ｖｅ（Ｖ）を印加する回路と、維持期間に維持電極２３１〜２３ｎに印加する維持パルスを発生するための維持パルス発生回路６１とを内部に備え、パネル１０の全ての維持電極２３１〜２３ｎをまとめて駆動することができるように構成されている。そして、維持電極駆動回路用制御信号にもとづいて維持電極２３１〜２３ｎをまとめて駆動する。
【００３８】
３．１  走査電極駆動回路
走査電極駆動回路５の詳細について説明する。図５は、本発明の実施の形態におけるパネル１０の走査電極２２を駆動する走査電極駆動回路５の回路図である。図５に示す走査電極駆動回路５は、維持パルス発生回路５１、初期化波形発生回路５２、走査パルス発生回路５３および倍電圧発生回路５４を備えており、走査電極２２１〜２２ｎを駆動する。なお、図５においては、パネル１０の電極間容量をＣｐとして示している。
【００３９】
維持パルス発生回路５１は、インダクタを備えた共振回路、すなわち電力回収回路を有し、パネル１０の容量性負荷（走査電極２２１〜２２ｎに生じた容量性負荷）に蓄えられた電力を回収し、その回収された電力を走査電極２２１〜２２ｎの駆動電力として再利用する構成にして、消費電力を削減する。 
【００４０】
具体的には、維持パルス発生回路５１は、コイルＬ１と回収コンデンサＣ１とスイッチング素子Ｓ１、Ｓ２と逆流防止用ダイオードＤ１、Ｄ２とを有する電力回収部と、スイッチング素子Ｓ５、Ｓ６と電圧Ｖｓ（Ｖ）の定電圧電源Ｖ１とを有する電圧クランプ部とからなる。電力回収部では、インダクタンス素子であるコイルＬ１を用いることによりパネル１０の容量性負荷（走査電極２２１〜２２ｎに生じた容量性負荷）とコイルＬ１とをＬＣ共振させて、電力の回収および供給を行う。電力の回収時には、走査電極２２１〜２２ｎに生じた容量性負荷に蓄えられた電力を、電流の逆流防止用ダイオードＤ２およびスイッチング素子Ｓ２を介して回収コンデンサＣ１に移動させる。電力の供給時には、回収コンデンサＣ１に蓄えられた電力を、スイッチング素子Ｓ１および逆流防止用ダイオードＤ１を介してパネル１０（走査電極２２１〜２２ｎ）に移動する。こうして維持期間における走査電極２２１〜２２ｎの駆動を行う。したがって電力回収部では、維持期間において、電源から電力を供給されることなく、ＬＣ共振によって走査電極２２１〜２２ｎの駆動を行うため、実質的な消費電力は０となる。なお、回収コンデンサＣ１は、パネル１０の電極間容量Ｃｐに比べて十分に大きい容量を持ち、定電圧電源Ｖ１の電圧Ｖｓ（Ｖ）の半分のＶｓ／２（Ｖ）に充電されており、電力回収部の電源として働く。
【００４１】
一方、電圧クランプ部は、電圧Ｖｓ（Ｖ）の定電圧電源Ｖ１からスイッチング素子Ｓ５を介して走査電極２２１〜２２ｎに電圧Ｖｓ（Ｖ）を印加して走査電極２２１〜２２ｎを電圧Ｖｓ（Ｖ）にクランプし、また、走査電極２２１〜２２ｎをスイッチング素子Ｓ６を介して接地電位にクランプすることによって、走査電極２２１〜２２ｎの駆動を行う。したがって、電圧クランプ部による走査電極２２１〜２２ｎの駆動時においては、電源から電力が供給されることによる消費電力が発生するが、そのときのインピーダンスが非常に小さいため維持パルスの立ち上がり立ち下がりは急峻になる。
【００４２】
こうして維持パルス発生回路５１は、スイッチング素子Ｓ１、Ｓ２、Ｓ５、Ｓ６の切替えによって、電力回収部と電圧クランプ部とを切替え、走査電極２２１〜２２ｎに印加するための維持パルスを発生する。このように、ＬＣ共振を利用した維持パルス発生回路５１では、維持パルスの電圧が極大値になるまで電力回収部によって電力供給を行い、その後電圧クランプ部に切替えることで、理論的な消費電力が０である電力回収部を最大限に利用した駆動を行うことができ、走査電極駆動回路５の消費電力を低減することができる。
【００４３】
なお、スイッチング素子Ｓ１、Ｓ２、Ｓ５、Ｓ６は、ＭＯＳＦＥＴ等のスイッチング動作を行う一般に知られた素子からなり、画像信号処理回路３において作成されたサブフィールド制御信号にもとづき切替えが制御される。また、以降の説明におけるスイッチング素子も同様にＭＯＳＦＥＴ等の素子からなり、画像信号処理回路３において作成されたサブフィールド制御信号にもとづき切替えが制御されるものとする。
【００４４】
倍電圧発生回路５４は、回収コンデンサＣ１に蓄えられた回収電力の電圧Ｖｓ／２（Ｖ）を、その電圧の５倍の２．５Ｖｓ（Ｖ）、すなわち電圧Ｖｉ２（Ｖ）に変換して初期化波形発生回路５２に供給する。なお、この詳細については後述する。
【００４５】
初期化波形発生回路５２は、負の電圧値Ｖｉ４（Ｖ）の定電圧電源Ｖ２とミラー積分回路５０ａ、５０ｂとを備え、さらに倍電圧発生回路５４から供給される電圧Ｖｉ２（２．５Ｖｓ）（Ｖ）を用いて上述したような初期化波形を発生させる。
【００４６】
ミラー積分回路５０ａは、一端が倍電圧発生回路５４に接続されており、走査電極２２１〜２２ｎに印加する電圧を電圧Ｖｉ１（Ｖ）から倍電圧発生回路５４によって供給される正の初期化電圧Ｖｉ２（Ｖ）までランプ状に緩やかに上昇させる。その後、一端が定電圧電源Ｖ２に接続されたミラー積分回路５０ｂは、走査電極２２１〜２２ｎに印加する電圧を電圧Ｖｉ３（Ｖ）から定電圧電源Ｖ２による負の初期化電圧Ｖｉ４（Ｖ）までランプ状に緩やかに降下させる。すなわち、初期化期間前半部ではデータ電極３２１〜３２ｍに対して放電開始電圧以下の電圧Ｖｉ１（Ｖ）から放電開始電圧を超える電圧Ｖｉ２（Ｖ）に向かって緩やかに上昇するランプ波形を発生させ、初期化期間後半部では維持電極２３１〜２３ｎに対して放電開始電圧以下となる電圧Ｖｉ３（Ｖ）から電圧Ｖｉ４（Ｖ）に向かって緩やかに下降するランプ波形を発生させて、走査電極２２１〜２２ｎに印加する。
【００４７】
なお、スイッチング素子Ｓ９は、維持期間において維持パルス発生回路５１と走査電極２２１〜２２ｎとを電気的に接続し、それ以外の期間で維持パルス発生回路５１を他の回路から電気的に分離するために挿入されたものであり、維持期間のみ導通される。これは、例えば初期化波形発生回路５２から走査電極２２１〜２２ｎに初期化電圧Ｖｉ２（Ｖ）を印加しているときに、それよりも電位の低い維持パルス発生回路５１の定電圧電源Ｖ１の影響を受けないようにするためである。
【００４８】
走査パルス発生回路５３は、負の電圧Ｖａ（Ｖ）の定電圧電源Ｖ３と、電圧Ｖｃ（Ｖ）の定電圧電源Ｖ４と、定電圧電源Ｖ３に接続して走査電極駆動回路５の基準電位を負の走査パルス電圧Ｖａ（Ｖ）にするためのスイッチング素子Ｓ２２と、走査電極駆動回路５の基準電位に対して電圧Ｖｃ（Ｖ）を重畳させるためのスイッチング素子Ｓ３１と、走査電極駆動回路５の基準電位を走査電極２２１〜２２ｎに印加するためのスイッチング素子Ｓ３２とを備える。なお、スイッチング素子Ｓ３１、Ｓ３２は、ｎ本の走査電極２２１〜２２ｎのそれぞれに走査パルスを印加するために、それぞれｎ個のスイッチング素子からなる。
【００４９】
そして、書込み期間において、全ての走査電極２２１〜２２ｎに順次負の走査パルスを印加して走査を行う。すなわち、定電圧電源Ｖ４から供給される電圧値Ｖｃ（Ｖ）と定電圧電源Ｖ３から供給される負の電圧値Ｖａ（Ｖ）とのいずれか一方の電圧が走査電極２２１〜２２ｎに供給されるようにスイッチング素子Ｓ３１とスイッチング素子Ｓ３２とを交互に切替え、負の走査パルスを印加するタイミングでは定電圧電源Ｖ３からの電圧を、それ以外のときには定電圧電源Ｖ４からの電圧を走査電極２２１〜２２ｎに供給するようにスイッチング動作する。
【００５０】
なお、スイッチング素子Ｓ１０は、必要なときに維持パルス発生回路５１または初期化波形発生回路５２と走査電極２２１〜２２ｎとを電気的に接続させ、それ以外のときには維持パルス発生回路５１または初期化波形発生回路５２を走査パルス発生回路５３から電気的に分離するために挿入されたものであり、維持期間および初期化期間に導通される。これは、例えば走査パルス発生回路５３における定電圧電源Ｖ３から負の電圧を供給するときに、それよりも高い電位、すなわち維持パルス発生回路５１のクランプ部の接地電位の影響を受けないようにするためである。
【００５１】
なお、初期化波形発生回路５２で用いる負の電圧値Ｖｉ４（Ｖ）の定電圧電源Ｖ２と走査パルス発生回路５３で用いる負の電圧値Ｖａ（Ｖ）の定電圧電源Ｖ３とを兼用する構成としてもよい。
【００５２】
なお、図５に示すパネル１０の維持電極２３側に接続された維持電極駆動回路６の維持パルス発生回路６１は、電力回収回路を備え、パネル１０の容量性負荷（維持電極２３１〜２３ｎに生じた容量性負荷）に蓄えられた電力を回収し、その回収された電力を維持電極２３１〜２３ｎの駆動電力として再利用するように構成されているが、その構成および動作原理は、走査電極駆動回路５における維持パルス発生回路５１と同様であるので、ここでの説明を省略する。
【００５３】
３．１．１  倍電圧発生回路
次に、倍電圧発生回路５４の詳細について説明する。本実施の形態において、初期化波形発生回路５２で用いる電圧Ｖｉ２（Ｖ）は、維持パルス発生回路５１における定電圧電源Ｖ１の電圧Ｖｓ（Ｖ）の約２．５倍の２．５Ｖｓ（Ｖ）、すなわち、維持パルス発生回路５１における回収コンデンサＣ１の電圧Ｖｓ／２（Ｖ）の５倍である。そこで、本実施の形態では、倍電圧発生回路５４によって、回収コンデンサＣ１の電圧Ｖｓ／２（Ｖ）の５倍の電圧である電圧２．５Ｖｓ（Ｖ）を生成し、電圧Ｖｉ２（Ｖ）として初期化波形発生回路５２に供給する。このため、倍電圧発生回路５４の一方の入力端は、回収コンデンサＣ１の高圧側端子に接続される。また、倍電圧発生回路５４の他方の入力端は、スイッチング素子Ｓ５とスイッチング素子Ｓ６の接続点に接続される。スイッチング素子Ｓ５とスイッチング素子Ｓ６の接続点には、電源Ｖ１から供給される電圧Ｖｓまたはグランドから供給されるゼロ（ボルト）が印加される。この構成により、倍電圧発生回路５４は、回収コンデンサＣ１から供給される電圧（Ｖｓ／２）に、電源Ｖ１から供給される電圧（Ｖｓ）を整数倍した電圧を加えた電圧を生成できる。
【００５４】
倍電圧発生回路５４は、第１のダイオードである逆流防止用ダイオードＤ３と、第２のダイオードである逆流防止用ダイオードＤ４と、第３のダイオードである逆流防止用ダイオードＤ５と、逆流防止用ダイオードＤ６と第１のポンプアップ用コンデンサであるポンプアップ用コンデンサＣ２と、第２のポンプアップ用コンデンサであるポンプアップ用コンデンサＣ３と、チャージ用コンデンサＣ１１とを備える。
【００５５】
倍電圧発生回路５４では、まず、逆流防止用ダイオードＤ３、Ｄ４とポンプアップ用コンデンサＣ２とチャージ用コンデンサＣ１１とによって電圧Ｖｓ／２（Ｖ）から電圧１．５Ｖｓ（Ｖ）を得る。逆流防止用ダイオードＤ３は、そのアノードが維持パルス発生回路５１の回収コンデンサＣ１に接続され、そのカソードが逆流防止用ダイオードＤ４のアノードとポンプアップ用コンデンサＣ２の一端とに接続されている。また、ポンプアップ用コンデンサＣ２の他端は、維持パルス発生回路５１のスイッチング素子Ｓ５とスイッチング素子Ｓ６とが互いに接続されている箇所に接続されている。これにより、ポンプアップ用コンデンサＣ２の一端に印加される電圧は、スイッチング素子Ｓ５、Ｓ６のスイッチング動作に応じて電圧Ｖｓ（Ｖ）および接地電位のいずれかに切替えられる。
【００５６】
この構成において、まず、スイッチング素子Ｓ５が遮断されスイッチング素子Ｓ６が導通するとポンプアップ用コンデンサＣ２の一端は接地電位となり、ポンプアップ用コンデンサＣ２には回収コンデンサＣ１から逆流防止用ダイオードＤ３を介して電圧Ｖｓ／２（Ｖ）の電力が蓄えられる。なお、その動作により回収コンデンサＣ１の電圧が低下するといった問題が生じないように、回収コンデンサＣ１にはポンプアップ用コンデンサＣ２と比較して十分に大きい容量のものが用いられている。
【００５７】
次に、スイッチング素子Ｓ６が遮断されスイッチング素子Ｓ５が導通すると、ポンプアップ用コンデンサＣ２の一端には定電圧電源Ｖ１による電圧Ｖｓ（Ｖ）が印加される。これにより、ポンプアップ用コンデンサＣ２の一端の電位は接地電位から電圧Ｖｓ（Ｖ）に上昇（ポンプアップ）し、ポンプアップ用コンデンサＣ２の高圧側端子の電圧は電圧Ｖｓ／２（Ｖ）に電圧Ｖｓ（Ｖ）が加算された電圧１．５Ｖｓ（Ｖ）にポンプアップする。なお、逆流防止用ダイオードＤ３の働きにより、ポンプアップ用コンデンサＣ２に蓄えられた電力が回収コンデンサＣ１に逆流することはない。
【００５８】
こうして、ポンプアップ用コンデンサＣ２の電圧は、スイッチング素子Ｓ５が遮断されスイッチング素子Ｓ６が導通した状態で電圧Ｖｓ／２（Ｖ）となり、スイッチング素子Ｓ６が遮断されスイッチング素子Ｓ５が導通した状態で電圧１．５Ｖｓ（Ｖ）となる。これにより、逆流防止用ダイオードＤ４のカソードからはスイッチング素子Ｓ５、Ｓ６のスイッチング動作に応じて電圧Ｖｓ／２（Ｖ）と電圧１．５Ｖｓ（Ｖ）とが交互に出力される。
【００５９】
逆流防止用ダイオードＤ４は、そのカソードがチャージ用コンデンサＣ１１に接続されている。また、チャージ用コンデンサＣ１１の一端は接地電位に固定されており、逆流防止用ダイオードＤ４が逆流防止の働きを有するため、チャージ用コンデンサＣ１１には逆流防止用ダイオードＤ４から出力される電圧１．５Ｖｓ（Ｖ）の電力が蓄えられ、チャージ用コンデンサＣ１１の電圧は電圧１．５Ｖｓ（Ｖ）で固定される。
【００６０】
続いて、倍電圧発生回路５４では、逆流防止用ダイオードＤ５とポンプアップ用コンデンサＣ３とによって電圧１．５Ｖｓ（Ｖ）を電圧２．５Ｖｓ（Ｖ）にする。逆流防止用ダイオードＤ５は、そのアノードがチャージ用コンデンサＣ１１に接続され、そのカソードがポンプアップ用コンデンサＣ３の一端に接続されている。また、ポンプアップ用コンデンサＣ３の他端は、維持パルス発生回路５１のスイッチング素子Ｓ５とスイッチング素子Ｓ６とが互いに接続されている箇所に接続されている。これにより、ポンプアップ用コンデンサＣ３の一端に印加される電圧は、スイッチング素子Ｓ５、Ｓ６のスイッチング動作に応じて電圧Ｖｓ（Ｖ）および接地電位のいずれかに切替えられる。
【００６１】
この構成において、まず、スイッチング素子Ｓ５が遮断されスイッチング素子Ｓ６が導通するとポンプアップ用コンデンサＣ３の一端は接地電位となり、ポンプアップ用コンデンサＣ３にはチャージ用コンデンサＣ１１から逆流防止用ダイオードＤ５を介して電圧１．５Ｖｓ（Ｖ）の電力が蓄えられる。
【００６２】
次に、スイッチング素子Ｓ６が遮断されスイッチング素子Ｓ５が導通すると、ポンプアップ用コンデンサＣ３の低圧側端子には定電圧電源Ｖ１による電圧Ｖｓ（Ｖ）が印加される。これにより、ポンプアップ用コンデンサＣ３の低圧側端子の電位は接地電位から電圧Ｖｓ（Ｖ）にポンプアップし、ポンプアップ用コンデンサＣ３の高圧側端子の電圧は電圧１．５Ｖｓ（Ｖ）に電圧Ｖｓ（Ｖ）が加算された電圧２．５Ｖｓ（Ｖ）にポンプアップする。なお、逆流防止用ダイオードＤ５の働きにより、ポンプアップ用コンデンサＣ３に蓄えられた電力がチャージ用コンデンサＣ１１に逆流することはない。また、コンデンサＣ３には逆流防止用ダイオードＤ６のアノードが接続されており、この逆流防止用ダイオードＤ６の働きにより、ダイオードＤ６のカソードからはコンデンサＣ３の電圧が安定して出力されるように構成されている。
【００６３】
こうして、ポンプアップ用コンデンサＣ３の電圧は、スイッチング素子Ｓ５が遮断されスイッチング素子Ｓ６が導通した状態で電圧１．５Ｖｓ（Ｖ）となり、スイッチング素子Ｓ６が遮断されスイッチング素子Ｓ５が導通した状態で電圧２．５Ｖｓ（Ｖ）となる。これにより、逆流防止用ダイオードＤ６のカソードからはスイッチング素子Ｓ５、Ｓ６のスイッチング動作に応じて電圧１．５Ｖｓ（Ｖ）と電圧２．５Ｖｓ（Ｖ）とが交互に出力される。
【００６４】
すなわち、本実施の形態では、まず維持期間において維持パルス発生のために維持パルス発生回路５１におけるスイッチング素子Ｓ５、Ｓ６が交互に導通することにより、電圧Ｖｓ／２（Ｖ）の回収用コンデンサＣ１から、逆流防止用ダイオードＤ３、Ｄ４とポンプアップ用コンデンサＣ２とを介してチャージ用コンデンサＣ１１に電力が蓄えられることにより、チャージ用コンデンサＣ１１の電圧は電圧１．５Ｖｓ（Ｖ）となる。そして、チャージ用コンデンサＣ１１から逆流防止用ダイオードＤ５を介してポンプアップ用コンデンサＣ３に電力が蓄えられる。
【００６５】
続く初期化期間では、スイッチング素子Ｓ５を導通しスイッチング素子Ｓ６を遮断することで、ポンプアップ用コンデンサＣ３の低圧側端子に定電圧電源Ｖ１の電圧Ｖｓ（Ｖ）を印加する。これにより、ポンプアップ用コンデンサＣ３の低圧側端子の電位がポンプアップされ、ポンプアップ用コンデンサＣ３から電圧２．５Ｖｓ（Ｖ）を取り出すことができるようになる。こうして、ポンプアップ用コンデンサＣ３を、初期化期間において電圧２．５Ｖｓ（Ｖ）、すなわち電圧Ｖｉ２（Ｖ）の電源として働かせることができ、定電圧電源やレギュレータを用いることなく初期化波形発生回路５２に電圧Ｖｉ２（Ｖ）を供給できるようになる。
【００６６】
４．まとめ
以上説明したように、本実施の形態におけるパネル駆動回路では、維持パルス発生回路５１における回収コンデンサＣ１の電圧が定電圧電源Ｖ１の電圧Ｖｓ（Ｖ）の半分の電圧Ｖｓ／２（Ｖ）であることに着目し、倍電圧発生回路５４の入力端の一方に定電圧電源Ｖ１またはグランドを接続し、入力端の他方に回収コンデンサＣ１を接続した。これにより、倍電圧発生回路５４のみによって定電圧電源Ｖ１の出力電圧（Ｖｓ）を２．５倍（小数倍）した電圧２．５Ｖｓ（Ｖ）、すなわち電圧Ｖｉ２（Ｖ）を生成することができる。よって、初期化波形発生回路５２において電圧Ｖｉ２（Ｖ）を得るための定電圧電源やレギュレータを削減することが可能となり、走査電極駆動回路５を構成する素子数を削減することが可能となる。
【００６７】
なお、本実施の形態の倍電圧発生回路５４において、ポンプアップ用コンデンサおよび逆流防止用ダイオードの組み合わせを追加することで、３．０Ｖｓ（Ｖ）や３．５Ｖｓ（Ｖ）といったさらに高い電圧を得ることも可能である。すなわち、ポンプアップ用コンデンサおよび逆流防止用ダイオードからなる回路の段数に応じて、Ｖｓ／２＋ｎ×Ｖｓ（ｎ＝２、３、４、・・・）の電圧を任意に生成できる。
【００６８】
なお、本実施の形態では、図５に示したように、維持パルス発生回路５１のクランプ部のスイッチング素子Ｓ５、Ｓ６に、倍電圧発生回路５４におけるポンプアップ用のスイッチング動作のためのスイッチング素子を兼用させる構成を説明したが、何らこの構成に限定されるものではなく、ポンプアップ用のスイッチング動作を行うスイッチング素子をスイッチング素子Ｓ５、Ｓ６とは別に設ける構成であってもよい。
【００６９】
なお、上記の実施形態では、走査電極駆動回路５において、倍電圧発生回路５４の入力端の一方は回収コンデンサＣ１に接続され、入力端の他方は定電圧電源Ｖ１またはグランドに接続される。これにより、倍電圧発生回路５４による電圧２．５Ｖｓ（＝Ｖｓ／２＋２×Ｖｓ）の生成を可能とした。しかしながら、倍電圧発生回路５４の入力端の一方を必ずしも回収コンデンサＣ１に接続する必要はない。例えば、図６に示すように、所定電圧Ｖｘを出力する電源Ｖ５に接続してもよい。このとき、電圧Ｖｘは０＜Ｖｘ＜Ｖｓを満たすような電圧であればよい。電源Ｖ５は例えば、電圧Ｖｓを出力するトランスの二次巻線の途中位置にタップを設けることで実現できる。タップ位置を適宜設定することで、タップから所望の電圧Ｖｘを得ることができる。または、電源Ｖ５として、電源Ｖ２、Ｖ３、Ｖ４を利用することもできる。または、スイッチング素子を駆動するためのゲート電圧を生成する電源を電源Ｖ５として使用することもできる。
【００７０】
また、一般的に、倍電圧発生回路５４は、その入力端の一方に所定電圧Ｖｘを入力し、入力端の他方に所定電圧Ｖｙまたは０を入力してもよい。ここで、電圧Ｖｘは、０＜Ｖｘ＜Ｖｙを満たすような値とする。これにより、倍電圧発生回路５４は、Ｖｘ＋ｎ×Ｖｙ（ｎ＝１、２、３、・・・）の電圧を生成できる、レギュレータを用いず倍電圧生成回路のみでＶｙを小数倍した電圧を生成できる。
【００７１】
また、定電圧電源Ｖ１を分離するためのスイッチング素子Ｓ９は、図７に示すように維持パルス発生回路５１内に設けてもよい（図５の構成でも同様）。
【産業上の利用可能性】
【００７２】
本発明のパネル駆動回路およびプラズマディスプレイ装置は、所定電圧を小数倍した電圧を発生させることが可能であるため、レギュレータを用いることなく駆動に必要な電圧を発生させることができ、駆動回路を構成する素子数を削減することができるので、パネル駆動回路およびプラズマディスプレイ装置として有用である。
【図面の簡単な説明】
【００７３】
【図１】本発明の実施の形態におけるパネルの構造を示す斜視図
【図２】同パネルの電極配列図
【図３】同パネルの各電極に印加する各駆動電圧波形を示す図
【図４】同パネルを用いたプラズマディスプレイ装置の電気的構成を示すブロック図
【図５】同パネルの走査電極を駆動する走査電極駆動回路の回路図
【図６】同パネルの走査電極を駆動する走査電極駆動回路の別の例の回路図
【図７】同パネルの走査電極を駆動する走査電極駆動回路のさらに別の例の回路図
【図８】従来技術における駆動回路の回路図
【符号の説明】
【００７４】
３    画像信号処理回路
４    データ電極駆動回路
５    走査電極駆動回路
６    維持電極駆動回路
７    タイミング発生回路
１０    パネル
２１    （ガラス製の）前面板
２２    走査電極
２３    維持電極
２４，３３    誘電体層
２５    保護層
３１    背面板
３２    データ電極 
３４    隔壁
３５    蛍光体層
５０ａ，５０ｂ    ミラー積分回路
５１，６１    維持パルス発生回路
５２    初期化波形発生回路
５３    走査パルス発生回路
５４    倍電圧発生回路
５５    レギュレータ
１００    プラズマディスプレイ装置
Ｃ１    回収コンデンサ
Ｃ２，Ｃ３    ポンプアップ用コンデンサ
Ｃ１１    チャージ用コンデンサ
Ｃｐ    パネルの電極間容量
Ｓ１，Ｓ２，Ｓ５，Ｓ６，Ｓ９，Ｓ１０，Ｓ２２，Ｓ３１，Ｓ３２    スイッチング素子
Ｌ１    コイル
Ｄ１，Ｄ２，Ｄ３，Ｄ４，Ｄ５，Ｄ６    逆流防止用ダイオード
Ｖ１〜Ｖ４    定電圧電源
【図１】
2007233380.tif 000003
【図２】
2007233380.tif 000004
【図３】
2007233380.tif 000005
【図４】
2007233380.tif 000006
【図５】
2007233380.tif 000007
【図６】
2007233380.tif 000008
【図７】
2007233380.tif 000009
【図８】
2007233380.tif 000010